(57)【要約】      （修正有）【課題】モバイルアクセスポイントの電波状況を容易に確認することが可能な無線端末装置を提供する。【解決手段】無線端末装置は、第１の無線通信方式を使用して広域無線通信網と通信を行うアクセスポイントに、第２の無線通信方式を使用してアクセスする無線端末装置であって、接続した前記アクセスポイントがモバイルアクセスポイントであるか否かを判定する判定手段と、前記判定手段により、前記接続したアクセスポイントがモバイルアクセスポイントである場合には、前記接続したアクセスポイントから、前記広域無線通信網との前記第１の無線通信方式を使用した通信の電波状況を取得する取得手段と、前記取得手段が取得した電波状況を表示画面に表示する表示手段と、を備えている。【選択図】図１
2014155187.tif 000002
【特許請求の範囲】
【請求項１】
第１の無線通信方式を使用して広域無線通信網と通信を行うアクセスポイントに、第２の無線通信方式を使用してアクセスする無線端末装置であって、
接続したアクセスポイントがモバイルアクセスポイントであるか否かを判定する判定手段と、
前記判定手段により、前記接続したアクセスポイントがモバイルアクセスポイントである場合には、前記接続したアクセスポイントから、前記広域無線通信網との前記第１の無線通信方式を使用した通信の電波状況を取得する取得手段と、
前記取得手段が取得した電波状況を表示画面に表示する表示手段と、
を備えたことを特徴とする無線端末装置。
【請求項２】
さらに、前記アクセスポイントとの前記第２の無線通信方式を使用した通信の電波状況を測定する測定手段を備え、
前記判定手段により、前記接続したアクセスポイントがモバイルアクセスポイントでない場合には、前記表示手段は、前記測定手段が測定した電波状況を表示画面に表示することを特徴とする請求項１に記載の無線端末装置。
【請求項３】
前記取得手段は、さらに、前記接続したアクセスポイントがモバイルアクセスポイントである場合には、当該アクセスポイントの残電池情報を取得し、
前記表示手段は、前記表示画面に前記取得したアクセスポイントの残電池情報を表示することを特徴とする請求項１又は請求項２に記載の無線端末装置。
【請求項４】
前記第１の無線通信方式は、３Ｇ，４Ｇ／ＬＴＥ、又はＷｉＭＡＸであることを特徴とする請求項１〜請求項３のいずれか１つに記載の無線端末装置。
【請求項５】
前記第２の無線通信方式は、Ｗｉｆｉ又はＢｌｕｅｔｏｏｔｈ（登録商標）であることを特徴とする請求項１〜請求項４のいずれか１つに記載の無線端末装置。
【請求項６】
第１の無線通信方式を使用して広域無線通信網と通信を行うモバイルアクセスポイントと、第２の無線通信方式を使用して前記モバイルアクセスポイントにアクセスする無線端末装置とを含む電波状況表示システムであって、
前記無線端末装置は、
接続したアクセスポイントがモバイルアクセスポイントであるか否かを判定する判定手段と、
前記判定手段により、前記接続したアクセスポイントがモバイルアクセスポイントである場合には、前記接続したアクセスポイントに、前記広域無線通信網との前記第１の無線通信方式を使用した通信の電波状況を問い合わせて、当該電波状況を取得する取得手段と、
前記取得手段が取得した電波状況を表示画面に表示する表示手段と、
を含み、
前記モバイルアクセスポイントは、
前記無線広域通信網との前記第１の無線通信方式を使用した通信の電波状況を測定する第１の測定手段と、
前記無線端末装置からの問い合わせに応じて、前記測定手段で測定された電波状況を前記無線端末装置に送信する応答手段と、
を含むことを特徴とする電波状況表示システム。
【請求項７】
前記無線端末装置は、
さらに、前記アクセスポイントとの前記第２の無線通信方式を使用した通信の電波状況を測定する第２の測定手段を備え、
前記判定手段により、前記接続したアクセスポイントがモバイルアクセスポイントでない場合には、前記表示手段は、前記第２の測定手段が測定した電波状況を表示画面に表示することを特徴とする請求項６に記載の電波状況表示システム。
【請求項８】
第１の無線通信方式を使用して広域無線通信網と通信を行うアクセスポイントに、第２の無線通信方式を使用してアクセスする無線端末装置の電波状況表示方法であって、
接続したアクセスポイントがモバイルアクセスポイントであるか否かを判定する判定工程と、
前記接続したアクセスポイントがモバイルアクセスポイントである場合には、前記接続した前記アクセスポイントから、前記広域無線通信網との前記第１の無線通信方式を使用した通信の電波状況を取得する取得工程と、
前記取得した電波状況を表示画面に表示する表示工程と、
を含むことを特徴とする無線端末装置の電波状況表示方法。
【請求項９】
さらに、前記アクセスポイントとの前記第２の無線通信方式を使用した通信の電波状況を測定する測定工程を含み、
前記接続したアクセスポイントがモバイルアクセスポイントでない場合には、前記表示工程では、前記測定工程で測定した電波状況を表示画面に表示することを特徴とする請求項８に記載の電波状況表示方法。
【請求項１０】
第１の無線通信方式を使用して広域無線通信網と通信を行うアクセスポイントに、第２の無線通信方式を使用してアクセスする無線端末装置に格納されたコンピュータが実行可能なプログラムであって、
接続したアクセスポイントがモバイルアクセスポイントであるか否かを判定する判定工程と、
前記接続したアクセスポイントがモバイルアクセスポイントである場合には、前記接続したアクセスポイントから、前記広域無線通信網との前記第１の無線通信方式を使用した通信の電波状況を取得する取得工程と、
前記取得した電波状況を表示画面に表示する表示工程と、
をコンピュータに実行させることを特徴とするコンピュータが実行可能なプログラム。
【請求項１１】
さらに、前記アクセスポイントとの前記第２の無線通信方式を使用した通信の電波状況を測定する測定工程をコンピュータに実行させ、
前記接続した前記アクセスポイントがモバイルアクセスポイントでない場合には、前記表示工程では、前記測定工程で測定した電波状況を表示画面に表示することを特徴とする請求項１０に記載のコンピュータが実行可能なプログラム。
【発明の詳細な説明】
【技術分野】
【０００１】
本発明は、無線端末装置、その電波状況表示方法、電波状況表示システム、及びコンピュータが実行可能なプログラムに関する。
【背景技術】
【０００２】
近時、無線ＬＡＮ（Ｌｏｃａｌ−Ａｒｅａ  Ｎｅｔｗｏｒｋ）に対応したラップトップＰＣ、タブレットＰＣ、スマートフォン、及び携帯電話等の無線端末装置用に、手軽に持ち運んで広域無線通信網（高速無線回線）を利用可能とするモバイルアクセスポイント（「モバイルルータ」ともいう）が普及している。例えば、モバイルアクセスポイントとしては、３Ｇ回線に対応したモバイル３Ｇアクセスポイント、４Ｇ／ＬＴＥ回線に対応したモバイル４Ｇ／ＬＴＥアクセスポイント、ＷｉＭＡＸに対応したモバイルＷｉＭＡＸアク
セスポイント等がある。
【０００３】
図７は、Ｗｉｆｉ端末１００が、Ｗｉｆｉ端末のアクセスポイントとなるモバイル３Ｇアクセスポイント２００を介して３Ｇ回線３００に接続する場合を説明するための説明図である。従来においては、Ｗｉｆｉ端末１００の画面に表示される電波状況は、モバイル３Ｇアクセスポイント２００とＷｉｆｉ端末１００間のものである。
【０００４】
このため、モバイル３Ｇアクセスポイント２００が３Ｇ回線３００の基地局３０１のサービスエリア３０１Ａから外れている場合でも、Ｗｉｆｉ端末１００がモバイル３Ｇアクセスポイント２００のサービスエリア２００Ａ内にある場合には、Ｗｉｆｉ端末１００の画面には電波状況は良好であるように表示される。このように、ユーザは、Ｗｉｆｉ端末１００の画面に電波状況が良好であるように表示されていても３Ｇ回線３００に接続できない場合がある。この場合、ユーザは、モバイル３Ｇアクセスポイント２００の画面で基地局３０１との電波状況を確認する必要があり、その確認作業が煩わしいという問題がある。
【０００５】
通常、ユーザは、Ｗｉｆｉ端末１００とモバイル３Ｇアクセスポイント２００を一緒に持ち運ぶため、Ｗｉｆｉ端末１００とモバイル３Ｇアクセスポイント２００は近距離にあり、Ｗｉｆｉ端末１００とモバイル３Ｇアクセスポイント２００間の電波状況が良好であるのが一般的である。そのため、ユーザにとっては、Ｗｉｆｉ端末１００とモバイル３Ｇアクセスポイント２００間の電波状況に比して、モバイル３Ｇアクセスポイント２００と基地局３０１間の電波状況の方が重要である。
【先行技術文献】
【特許文献】
【０００６】
【特許文献１】特開２００５−３３２８５号公報
【発明の概要】
【発明が解決しようとする課題】
【０００７】
本発明は、上記に鑑みてなされたものであり、モバイルアクセスポイントの電波状況を容易に確認することが可能な無線端末装置、その電波状況表示方法、電波状況表示システム、及びコンピュータが実行可能なプログラムを提供することを目的とする。
【課題を解決するための手段】
【０００８】
上述した課題を解決し、目的を達成するために、本発明は、第１の無線通信方式を使用して広域無線通信網と通信を行うアクセスポイントに、第２の無線通信方式を使用してアクセスする無線端末装置であって、接続したアクセスポイントがモバイルアクセスポイントであるか否かを判定する判定手段と、前記判定手段により、前記接続したアクセスポイントがモバイルアクセスポイントである場合には、前記接続したアクセスポイントから、前記広域無線通信網との前記第１の無線通信方式を使用した通信の電波状況を取得する取得手段と、前記取得手段が取得した電波状況を表示画面に表示する表示手段と、を備えることを特徴とする。
【０００９】
また、本発明の好ましい態様によれば、さらに、前記アクセスポイントとの前記第２の無線通信方式を使用した通信の電波状況を測定する測定手段を備え、前記判定手段により、前記接続したアクセスポイントがモバイルアクセスポイントでない場合には、前記表示手段は、前記測定手段が測定した電波状況を表示画面に表示することが望ましい。
【００１０】
また、本発明の好ましい態様によれば、前記取得手段は、さらに、前記接続したアクセスポイントがモバイルアクセスポイントである場合には、当該アクセスポイントの残電池情報を取得し、前記表示手段は、前記表示画面に前記取得したアクセスポイントの残電池情報を表示することが望ましい。
【００１１】
また、本発明の好ましい態様によれば、前記第１の無線通信方式は、３Ｇ，４Ｇ／ＬＴＥ、又はＷｉＭＡＸであることが望ましい。
【００１２】
また、本発明の好ましい態様によれば、前記第２の無線通信方式は、Ｗｉｆｉ又はＢｌｕｅｔｏｏｔｈ（登録商標）であることが望ましい。
【００１３】
上述した課題を解決し、目的を達成するために、本発明は、第１の無線通信方式を使用して広域無線通信網と通信を行うモバイルアクセスポイントと、第２の無線通信方式を使用して前記モバイルアクセスポイントにアクセスする無線端末装置とを含む電波状況表示システムであって、前記無線端末装置は、接続したアクセスポイントがモバイルアクセスポイントであるか否かを判定する判定手段と、前記判定手段により、前記接続したアクセスポイントがモバイルアクセスポイントである場合には、前記接続したアクセスポイントに、前記広域無線通信網との前記第１の無線通信方式を使用した通信の電波状況を問い合わせて、当該電波状況を取得する取得手段と、前記取得手段が取得した電波状況を表示画面に表示する表示手段と、を含み、前記モバイルアクセスポイントは、前記無線広域通信網との前記第１の無線通信方式を使用した通信の電波状況を測定する第１の測定手段と、前記無線端末装置からの問い合わせに応じて、前記測定手段で測定された電波状況を前記無線端末装置に送信する応答手段と、を含むことを特徴とする。
【００１４】
また、本発明の好ましい態様によれば、前記無線端末装置は、さらに、前記アクセスポイントとの前記第２の無線通信方式を使用した通信の電波状況を測定する第２の測定手段を備え、前記判定手段により、前記接続したアクセスポイントがモバイルアクセスポイントでない場合には、前記表示手段は、前記第２の測定手段が測定した電波状況を表示画面に表示することが望ましい。
【００１５】
上述した課題を解決し、目的を達成するために、本発明は、第１の無線通信方式を使用して広域無線通信網と通信を行うアクセスポイントに、第２の無線通信方式を使用してアクセスする無線端末装置の電波状況表示方法であって、接続したアクセスポイントがモバイルアクセスポイントであるか否かを判定する判定工程と、前記接続したアクセスポイントがモバイルアクセスポイントである場合には、前記接続した前記アクセスポイントから、前記広域無線通信網との前記第１の無線通信方式を使用した通信の電波状況を取得する取得工程と、前記取得した電波状況を表示画面に表示する表示工程と、を含むことを特徴とする。
【００１６】
また、本発明の好ましい態様によれば、さらに、前記アクセスポイントとの前記第２の無線通信方式を使用した通信の電波状況を測定する測定工程を含み、前記接続したアクセスポイントがモバイルアクセスポイントでない場合には、前記表示工程では、前記測定工程で測定した電波状況を表示画面に表示することが望ましい。
【００１７】
上述した課題を解決し、目的を達成するために、本発明は、第１の無線通信方式を使用して広域無線通信網と通信を行うアクセスポイントに、第２の無線通信方式を使用してアクセスする無線端末装置に格納されたコンピュータが実行可能なプログラムであって、接続したアクセスポイントがモバイルアクセスポイントであるか否かを判定する判定工程と、前記接続したアクセスポイントがモバイルアクセスポイントである場合には、前記接続したアクセスポイントから、前記広域無線通信網との前記第１の無線通信方式を使用した通信の電波状況を取得する取得工程と、前記取得した電波状況を表示画面に表示する表示工程と、をコンピュータに実行させることを特徴とする。
【００１８】
また、本発明の好ましい態様によれば、さらに、前記アクセスポイントとの前記第２の無線通信方式を使用した通信の電波状況を測定する測定工程をコンピュータに実行させ、前記接続した前記アクセスポイントがモバイルアクセスポイントでない場合には、前記表示工程では、前記測定工程で測定した電波状況を表示画面に表示することが望ましい。
【発明の効果】
【００１９】
本発明によれば、モバイルアクセスポイントの電波状況を容易に確認することが可能な無線端末装置、その電波状況表示方法、電波状況表示システム、及びコンピュータが実行可能なプログラムを提供することが可能となる。
【図面の簡単な説明】
【００２０】
【図１】図１は、実施の形態に係る無線システムの構成例を示す図である。
【図２】図２は、無線端末装置、モバイルアクセスポイント、固定アクセスポイント、及び基地局の概略の機能構成図である。
【図３】図３は、無線端末装置が電波状況を表示する処理を説明するためのフローチャートである。
【図４】図４は、無線端末装置が固定アクセスポイントに接続した場合に、無線端末装置の画面に表示される表示例を示す図である。
【図５】図５は、無線端末装置がモバイルアクセスポイントに接続した場合に、無線端末装置の画面に表示される表示例を示す図である。
【図６】図６は、無線端末装置がモバイルアクセスポイントに接続した場合に、無線端末装置の画面に表示される他の表示例を示す図である。
【図７】Ｗｉｆｉ端末が、Ｗｉｆｉ端末のアクセスポイントとなるモバイル３Ｇアクセスポイントを介して３Ｇ回線に接続する場合を説明するための説明図である。
【発明を実施するための形態】
【００２１】
以下に、この発明に係る無線端末装置、その電波状況表示方法、電波状況表示システム、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。なお、この実施の形態によりこの発明が限定されるものではない。また、下記実施の形態における構成要素には、当業者が容易に想定できるもの又は実質的に同一のものが含まれる。
【００２２】
図１は、実施の形態に係る無線システムの構成例を示す図である。図２は、無線端末装置、モバイルアクセスポイント、固定アクセスポイント、及び基地局の概略の機能構成図である。
【００２３】
無線システム１は、図１に示すように、モバイルアクセスポイント２０又は固定（通常の非モバイル）アクセスポイント３０と第２の無線通信方式を使用して無線通信を行う無線端末装置１０と、無線端末装置１０と第２の無線通信方式を使用して通信を行い、かつ、基地局４０と第１の無線通信方式を使用して通信を行うモバイルアクセスポイント２０と、無線端末装置１０と第２の無線通信方式を使用して通信を行い、かつ、基地局４０と第１の無線通信方式を使用して通信を行う固定アクセスポイント３０と、モバイルアクセスポイント２０及び固定アクセスポイント３０等と第１の無線通信方式を使用して通信を行う広域無線通信網５０の基地局４０とで構築されている。
【００２４】
第１の無線通信方式は、例えば、３Ｇ、４Ｇ／ＬＴＥ、Ｗｉｍａｘ等であり、第２の無線通信方式は、例えば、Ｗｉｆｉ、Ｂｌｕｅｔｏｏｔｈ（登録商標）等である。これらの第１及び第２の無線通信方式は公知であるので、その詳細な説明は省略する。
【００２５】
無線端末装置１０は、接続したアクセスポイントがモバイルアクセスポイントであるか否かを判定し、アクセスポイントがモバイルアクセスポイントである場合には、接続したモバイルアクセスポイントから、当該モバイルアクセスポイントと基地局４０（広域無線通信網５０）との第１の無線通信方式を使用した通信の電波状況を取得し、取得した電波状況を表示画面に表示する。無線端末装置１０は、例えば、ラップトップＰＣ、タブレットＰＣ、スマートフォン、携帯電話等で構成することができる。
【００２６】
無線端末装置１０は、図２に示すように、例えば、第２の無線通信方式で通信を行う機能を有し、モバイルアクセスポイント２０及び固定アクセスポイント３０等と第２の無線通信方式を使用して通信を行う第２の通信手段１１と、モバイルアクセスポイント２０及び固定アクセスポイント３０との第２の無線通信方式を使用した通信の電波状況を自機で測定する第２の測定手段１２と、電波状況等を表示する表示手段１３とを備えている。
【００２７】
第２の通信手段１１は、接続したアクセスポイントがモバイルアクセスポイントであるか否かを判定する判定手段１４と、接続したアクセスポイントがモバイルアクセスポイントである場合に、接続したモバイルアクセスポイントから、当該モバイルアクセスポイントと基地局４０間の第１の無線通信方式を使用した通信の電波状況を所定時間間隔で取得する取得手段１５と、を備えている。
【００２８】
無線端末装置１０は、例えば、ハードウェアとソフトウェアの組み合わせで構成することができる。例えば、コンピュータがＯＳを実行することにより、第２の通信手段１１の第２の無線通信方式の基本的な処理（接続、切断等）を実行する機能を実現し、コンピュータがアプリケーションプログラムを実行することにより、判定手段１４，取得手段１５，第２の測定手段１２，及び表示手段１３の機能を実現することにしてもよい。
【００２９】
モバイルアクセスポイント２０は、無線端末装置１０のアクセスポイントとして機能し、携帯可能に構成されている。モバイルアクセスポイント２０は、例えば、専用のモバイルルータ、アクセスポイントの機能（テザリング機能）を有するラップトップＰＣ、タブレットＰＣ、スマートフォン、携帯電話等で構成することができる。
【００３０】
モバイルアクセスポイント２０は、図２に示すように、例えば、無線端末装置１０から第２の無線通信方式によるアクセスを受け付ける第２の通信手段２１と、基地局４０と第１の無線通信方式で通信を行い、無線アクセスポイントとしての機能を実現する第１の通信手段２２と、基地局４０との第２の無線通信方式の通信の電波状況を、所定時間間隔で自機において測定する第１の測定手段２３とを備えている。
【００３１】
固定アクセスポイント３０は、無線端末装置１０のアクセスポイントとして機能し、通常、店舗、ビル施設、公共機関等に設置されている。固定アクセスポイント３０は、図２に示すように、例えば、無線端末装置１０から第２の無線通信方式によるアクセスを受け付ける第２の通信手段３１と、基地局４０と第２の無線通信方式で通信を行い、無線アクセスポイントとしての機能を実現する第１の通信手段３２とを備えている。
【００３２】
基地局４０は、モバイルアクセスポイント２０及び固定アクセスポイント３０等と第２の無線通信方式で通信を行う第１の通信手段４１と、広域無線通信網５０の上位側装置と通信を行う上位側通信手段４２と、を備えている。
【００３３】
図３は、無線端末装置１０が電波状況を表示する処理を説明するためのフローチャートである。図４は、無線端末装置１０が固定アクセスポイント３０に接続した場合に、無線端末装置１０の画面に表示される表示例を示す図である。図５は、無線端末装置１０がモバイルアクセスポイント２０に接続した場合に、無線端末装置１０の画面に表示される表示例を示す図である。図２に示す無線端末装置１０が電波状況を表示する処理を図３のフローチャートに従って、図４及び図５を参照しつつ説明する。
【００３４】
以下の説明では、無線端末装置１０がモバイルアクセスポイント２０又は固定アクセスポイント３０に接続する場合について説明する。
【００３５】
図３において、まず、無線端末装置１０では、第２の通信手段１１がアクセスポイントと接続する（ステップＳ１）。判定手段１４は、接続したアクセスポイントがモバイルアクセスポイント２０であるか否かを判定する（ステップＳ２）。具体的には、判定手段１４は、予め登録されている又はアクセスポイントから新規に取得したプロファイル情報から接続したアクセスポイントがモバイルアクセスポイント２０であるか否かを判定する方法等の公知の方法を使用することができる。
【００３６】
アクセスポイントがモバイルアクセスポイント２０でない場合（ステップＳ２の「Ｎｏ」）、すなわち、固定アクセスポイント３０の場合は、第２の測定手段１２は、固定アクセスポイント３０との第２の無線通信方式による通信の電波状況を所定時間間隔で測定する（ステップＳ６）。表示手段１３は測定された電波状況を表示画面に表示すると共に、所定時間間隔で更新して（ステップＳ７）、ステップＳ５に移行する。例えば、図４に示すように、無線端末装置１０を固定アクセスポイント３０に接続した場合には、無線端末装置１０の表示画面の一部に、無線端末装置１０と固定アクセスポイント３０との第２の無線通信方式による通信の電波状況が表示される。同図の電波状況の表示例において、左側は電波強度をバーで示しており、右側はアクセスポイントを示すイラストが表示されている。なお、電波状況を表示画面の一部に表示する場合は、他の表示の妨げとならないように画面下部に表示するのが望ましい。
【００３７】
通常、固定アクセスポイントは基地局に対する電波状況が良好な場所に設置されるため、固定アクセスポイントの場合には、ユーザにとって、無線端末装置１０と固定アクセスポイント３０間の電波状況の方が重要である。そのため、無線端末装置１０と固定アクセスポイント３０間の電波状況を無線端末装置１０の表示画面に表示することにしている。
【００３８】
他方、アクセスポイントがモバイルアクセスポイント２０である場合には（ステップＳ２の「Ｙｅｓ」）、取得手段１５は、モバイルアクセスポイント２０に基地局４０との第１の無線通信方式による通信の電波状況を所定時間間隔で問い合わせて、この電波状況を取得する（ステップＳ３）。表示手段１３は、取得されたモバイルアクセスポイント２０と基地局４０間の第１の無線通信方式を使用した通信の電波状況を表示画面に表示すると共に、所定時間間隔で更新して（ステップＳ４）、ステップＳ５に移行する。例えば、図５に示すように、無線端末装置１０をモバイルアクセスポイント２０に接続した場合には、無線端末装置１０の表示画面の一部に、モバイルアクセスポイント２０と基地局４０間の第１の無線通信方式による通信の電波状況が表示される。同図の電波状況の表示例において、右側は基地局を示すイラストが表示されている。
【００３９】
これにより、ユーザは無線端末装置１０の表示画面を見ることで、モバイルアクセスポイント２０を確認しなくても、モバイルアクセスポイント２０と基地局４０間の電波状況を直ぐに把握することができ、この電波状況が悪い場合は、モバイルアクセスポイント２０の位置を直ぐに変更することができる。
【００４０】
ステップＳ５において、アクセスポイントの接続が切断された場合には（ステップＳ５の「Ｙｅｓ」）、ステップＳ１に戻る。
【００４１】
なお、取得手段１５は、さらに、アクセスポイントがモバイルアクセスポイント２０である場合には、モバイルアクセスポイント２０の残電池情報をモバイルアクセスポイント２０から所定時間間隔で取得し、表示手段１３は、表示画面に取得したアクセスポイント２０の残電池情報を表示することにしてもよい。図６は、無線端末装置１０がモバイルアクセスポイント２０に接続した場合に、無線端末装置１０の画面に表示される他の表示例を示す図である。例えば、図６に示すように、無線端末装置１０をモバイルアクセスポイント２０に接続した場合には、無線端末装置１０の表示画面の一部に、モバイルアクセスポイント２０と基地局４０間の第１の無線通信方式による通信の電波状況を表示すると共に、モバイルアクセスポイント２０の電池の残電池情報を表示することにしてもよい。
【００４２】
以上説明したように、本実施の形態の無線端末装置１０によれば、接続したアクセスポイントがモバイルアクセスポイントであるか否かを判定する判定手段１４と、判定手段１４により、接続したアクセスポイントがモバイルアクセスポイントである場合には、接続したアクセスポイントから、基地局との第１の無線通信方式を使用した通信の電波状況を取得する取得手段１５と、取得手段１５が取得した電波状況を表示画面に表示する表示手段１３と、を備えているので、モバイルアクセスポイントの電波状況を無線端末装置１０で容易に確認することが可能となる。
【００４３】
また、無線端末装置１０は、アクセスポイントとの第２の無線通信方式を使用した通信の電波状況を測定する第２の測定手段１１を備え、接続したアクセスポイントがモバイルアクセスポイントでない場合（固定アクセスポイントの場合）には、表示手段１３は、第２の測定手段１２が測定した電波状況を表示画面に表示することとしたので、モバイルアクセスポイントと固定アクセスポイントとで表示する電波状況を変更することにより、ユーザにとって重要な電波状況を表示することが可能となる。
【００４４】
さらに、取得手段１５は、さらに、アクセスポイントがモバイルアクセスポイントである場合には、モバイルアクセスポイントの残電池情報をモバイルアクセスポイントから取得し、表示手段１３は、表示画面に取得したモバイルアクセスポイントの残電池情報を表示することとしたので、ユーザは無線端末装置１０の画面を見ることで、モバイルアクセスポイントの残電池情報を容易に確認することが可能となる。
【符号の説明】
【００４５】
１  無線システム
１０  無線端末装置
１１  第２の通信手段
１２  第２の測定手段
１３  表示手段
１４  判定手段
１５  取得手段
２０  モバイルアクセスポイント
３０  固定アクセスポイント
４０  基地局
５０  広域無線通信網
【図１】
2014155187.tif 000003
【図２】
2014155187.tif 000004
【図３】
2014155187.tif 000005
【図４】
2014155187.tif 000006
【図５】
2014155187.tif 000007
【図６】
2014155187.tif 000008
【図７】
2014155187.tif 000009